(57)【要約】【課題】  特に壁側の防水カバーと手摺り側の防水カバーとの接続コーナー部において、壁際の防水性に優れた乾式構造の防水構造を提供する.【解決手段】  壁側防水カバー(17)と手摺り側の防水カバー(65)とに跨って、それら防水カバー(17)(65)間の隙間を覆うコーナーキャップ(71)が取り付けられる。このコーナーキャップ(71)の外壁面に対面する立ち上がり部(76)と外壁面(19)との間にシール材充填溝(87)が形成され、この充填溝(87)が壁側防水カバー(17)のシール材充填溝(51)に連続して、シール材(49)が連続して充填される。また、この手摺り側の充填溝(51)に連続して、化粧カバー(60)の端面側にもシール材充填溝(87)が形成されて、上面から側面にかけて切れ目のない防水ラインを構成する。【選択図】  図８
2005213951.tif 000002
【特許請求の範囲】
【請求項１】
外壁面に沿って延びる壁側の外部床端部と、外壁面から離れる方向に延びる手摺り取付け側の手摺り側の外部床端部との接続コーナー部において、外部床の防水部と外壁面との間の隙間を覆う壁側防水カバーと、同じく外部床の防水部とその外側の部材との隙間を覆う手摺り側の防水カバーとに跨って、それら防水カバー間の隙間を覆うコーナーキャップが取り付けられ、且つ、このコーナーキャップは、前記外壁面に対面する立ち上がり部が形成されて、この立ち上がり部の上端と外壁面との間にシール材充填溝が形成されることとされ、更に、このシール材充填溝は、壁側防水カバーの立ち上がり部上端部と外壁面との間に形成されるシール材充填用溝に連続するようにして形成されるものであるバルコニー等の外部床の防水構造。
【請求項２】
防水カバーの前記シール材充填溝は、前記各立ち上がり部の上端をＬ字形に折曲して、そのＬ字形の水平部を底部とし、同じくＬ字形の垂直部と外壁面とを側面部とするものである請求項１記載のバルコニー床等の外部床の防水構造。
【請求項３】
コーナーキャップのシール材充填溝は、立ち上がり部の上端と、その立ち上がり部裏面より外壁面側に向けて水平に突出させた突出片からなり、その突出片を底部とし、立ち上がり部上端と外壁面とを側面部とするものである請求項１又は２記載のバルコニー床等の外部床の防水構造。
【請求項４】
上記コーナーキャップの前記立ち上がり部は、手摺り側防水カバーを被覆する手摺り側被覆部の壁側の端部より立ち上がって設けられている請求項３記載のバルコニー床等の外部床の防水構造。
【請求項５】
コーナーキャップの壁側の防水カバーを被覆する壁側被覆部には、その防水カバーのカバー本体上面と前記水平部下面との間に嵌合されるコの字型の嵌合部を備えている請求項４記載のバルコニー床等の外部床の防水構造。
【請求項６】
前記コの字型の上部片と前記突出片とが相互に連続している請求項５記載のバルコニー床等の外部床の防水構造。
【請求項７】
前記コの字型嵌合部の垂直部とコーナーキャップの立ち上がり壁との間に、嵌合部と立ち上がり壁との開口部を塞ぐ被覆板を形成している請求項５又は６記載のバルコニー床等の外部床の防水構造。
【請求項８】
コーナーキャップの防水カバー被覆部の裏面には、水密材が張り付けられている請求項１から７の何れかに記載したバルコニー床等の外部床の防水構造。
【請求項９】
請求項１において、外部床の外側の部材が、その外部床の外側面を覆う化粧カバーであって、その化粧カバーの外壁面側の端面部とその外壁面との間には、前記シール材充填溝に充填されるシール材に連続するようにしてシール材を充填してなる請求項１から８の何れかに記載のバルコニー床等の外部床の防水構造。
【請求項１０】
上記化粧カバーの端面部には水密材が張られ、シール材はこの水密材を奥壁としてその外側に形成された化粧カバー端面と外壁面とで形成される溝部に充填されている請求項９記載のバルコニー床等の外部床の防水構造。
【請求項１１】
化粧カバーの壁側の端部より内側へ張り出して設けた縁片の外面に、前記水密材を貼り付けてなる請求項１０記載のバルコニー床等の外部床の防水構造。
【発明の詳細な説明】
【技術分野】
【０００１】
この発明は、建物本体の外側に張り出して設けられるバルコニー等の外部床の防水構造であって、特に壁側と手摺り側との接続コーナー部の構造に関するものである。
【背景技術】
【０００２】
バルコニー等の外部床の構造としては、建物本体の外壁と一体となった本体型のものと、建物本体とは別体で、腕木などによって建物本体に付帯的に取り付けられる付帯型のものとがある。
【０００３】
後者の付帯型の構造ではバルコニー等の外部の床と建物本体の外壁面とは構造的に切り離されているから、この部分の隙間を塞ぐための防水カバーが設けられる。また、床フレームに防水床や手摺りを取り付けて構成される組立型のものでは、防水床から溢れた雨水が裏側に回り込むと、前記フレームに錆を発生させたり或いは軒天井の隙間などから下方に落下する等の不具合を生じることになるから、手摺り側においても、防水カバーを設けている。
【０００４】
このような防水カバーを備えたバルコニー床において、例えば特許文献１でも示すように、防水カバー同士の接続コーナー部にコーナーキャップを設けて、それらカバー間の隙間を塞ぐことが行われている。
【０００５】
【特許文献１】特開２００２−１９４８５０号公報
【発明の開示】
【発明が解決しようとする課題】
【０００６】
しかしながら、従来の付帯型バルコニーにおいては、特にそのコーナー部での壁側の隙間の防水性能が充分でなく、この部分から水が軒裏側に落下しやすい欠点があった。このため、付帯型のバルコニーでは、壁際から雨水が漏れるのは場合によっては已むを得ないこととして、許容しているのが現状である。しかし、居住者の立場からは必ずしも理解できるものとは言い難い。
【０００７】
この発明は、このような従来の欠点を解消して、特に壁側の防水カバーと手摺り側の防水カバーとの接続コーナー部において、壁際の防水性に優れた乾式構造の防水構造を提供することを目的としてなされたものである。
【課題を解決するための手段】
【０００８】
上記の課題を解決するため、この発明では、外壁面に沿って延びる壁側の外部床端部と、外壁面から離れる方向に延びる手摺り取付け側の手摺り側の床端部との接続コーナー部において、外部床の防水部と外壁面との間の隙間を覆う壁側防水カバーと、同じく外部床の防水部とその外側の部材との隙間を覆う手摺り側の防水カバーとに跨って、それら防水カバー間の隙間を覆うコーナーキャップが取り付けられ、且つ、このコーナーキャップは、前記外壁面に対面する立ち上がり部が形成されて、この立ち上がり部の上端と外壁面との間にシール材充填溝が形成されることとされ、更に、このシール材充填溝は、壁側防水カバーの立ち上がり部上端部と外壁面との間に形成されるシール材充填用溝に連続するようにして形成されるものが提供される。
【０００９】
上記において、防水カバーの前記シール材充填溝は、望ましくは、前記各立ち上がり部の上端をＬ字形に折曲して、そのＬ字形の水平部を底部とし、同じくＬ字形の垂直部と外壁面とを側壁とするものである。
【００１０】
また、コーナーキャップのシール材充填溝は、望ましくは、立ち上がり部の上端と、その立ち上がり部裏面より外壁面側に向けて水平に突出させた突出片からなり、突出片を底壁とし、立ち上がり片上端と外壁面とで側面を形成するものが提供される。
【００１１】
更に、上記コーナーキャップの前記立ち上がり部は、手摺り側防水カバーを被覆する手摺り側被覆部の壁側の端部より立ち上がって設けられているものが提供され、他方、コーナーキャップの壁側の防水カバーを被覆する壁側被覆部には、防水カバーのカバー本体上面と前記水平部下面との間に嵌合されるコの字型の嵌合部を備えているものが提供される。
【００１２】
この出願の請求項６の発明では、前記コの字型の上部片と前記突出片とが相互に連続しているものが提供される。その際、請求項７の発明では、前記コの字型嵌合部の垂直部とコーナーキャップの立ち上がり壁と間に、嵌合部と立ち上がり壁との開口部を塞ぐ被覆板を形成している。
【００１３】
また、請求項８では、コーナーキャップの防水カバー被覆部の裏面には、水密材が張り付けられているものが提供される。
【００１４】
更に、この出願の請求項９の発明では、外部床の外側の部材が、その外部床の外側面を覆う化粧カバーであって、その化粧カバーの外壁面側の端面部とその外壁面との間には、前記シール材充填溝に充填されるシール材に連続するようにしてシール材を充填してなるものが提供される。
【００１５】
また、望ましくは、上記化粧カバーの端面部には水密材が張られ、シール材はこの水密材を奥壁としてその外側に形成された化粧カバー端面と外壁面とで形成される溝部に充填され、請求項１１の発明では、化粧カバーの壁側の端部より内側へ張り出して設けた縁片の外面に、水密材を貼り付けてなるものが提供される。
【発明の効果】
【００１６】
この発明によれば、壁側の防水カバーと外壁面との間に設けられるシール材の充填溝に連続するようにして、コーナーキャップにもシール材の充填溝を形成するようにしているので、コーナーキャップと壁側防水カバーとでその壁側の防水切れを生ずることがなく、防水性に優れたコーナー部の防水構造が得られる。
【００１７】
上記コーナーキャップの立ち上がり部は、手摺り側の防水カバーを被覆する被覆部の壁側端部より立ち上がっており、その手摺り側カバーの壁側の端部と外壁面との隙間を防水シールで防水することにより、この部分からの水の侵入を防止できる。
【００１８】
この出願の請求項５の発明では、壁側防水カバーへの嵌合部を備えているので、その壁側防水カバーとの一体化が増大し、より防水性能に優れたものが得られる。
【００１９】
また、請求項７では、上記嵌合部と立ち上がり壁との間の開口部を蓋板で覆うようにしているので、その開口部からの水の侵入を防止できる。
【００２０】
請求項８の発明では、コーナーキャップの防水カバーとの間に水密材が貼り付けられているので、両者の重ね部の隙間から水が侵入することがない。
【００２１】
同じく請求項９の発明では、化粧カバーとの端面にシール材が充填されるので、この部分から化粧カバー内側へ水が侵入するのを防止できるとともに、このシール材が前記防水カバーのシール材と連続するようにしているので、その部分に防水切れを生ずることがない。
【００２２】
また、請求項１０及び１１の発明では、化粧カバーの端面に水密材を張っているので、より防水性が向上するのみならず、この水密材がシール材充填の溝の奥壁となっているので、シール材によるシールをより確実なものとすることが出来る。
【発明を実施するための最良の形態】
【００２３】
図１は、付帯型バルコニーの概略構造を示す分解斜視図であって、建物本体(１)の入隅コーナーの部分を示している。(２)は、建物本体(１)の梁であり、図のようなＨ形鋼からなるものである。(３)(４)は、梁(2)の外側に取り付けられた上下一対の外壁パネルである。
【００２４】
(６)は、バルコニー床フレームであり、一つの具体例として、この図のように、建物本体(１)外壁面と平行な一対の横フレーム(７)(８)と、それら横フレーム(７)(８)間に、互いに間隔を置いて渡された複数本の桟材(９)(９)…とからなる。互いに平行な横フレーム(７)(８)はいずれもリップ溝形鋼からなり、建物本体(１)側の横フレーム(７)は、図２のようにその溝部(10)が外向きとなるように、他方の横フレーム(８)は溝部(10)が内向きとなるようにして配置されている。それら横フレーム(７)(８)間に多数配置される桟材(９)(９)は、リップ無しの溝形鋼で構成されている。
【００２５】
バルコニーの施工に際しては、先ず、この床フレーム(６)が建物本体(１)へ、外壁パネル(３)(４)の外側に張り出すようにして固定される。その取付け構造は図示していないが、例えば、建物本体(１)の骨組から、外壁の図示されていない縦目地部等を通して突出させた腕木などを用いて固定される。
【００２６】
床フレーム(６)の上面には下地板(12)が、床フレーム(６)の取付前若しくは取付後に設置して固定される。この下地板(12)には、望ましくは所定厚の合板が用いられる。
【００２７】
また、外壁パネル(３)(４)側に面していない側の横フレーム(８)には、その外側面に手摺り支柱(５)の下端プレート(11)が固定されて、その手摺り支柱(５)が上方へ突出して設けられる
(13)は、望ましくは鋼板製の防水パンであり、下地板(12)の上面に設置されるものであって、四辺形の底部(14)の４辺の外周には、側壁(15)が立ち上がっている。
【００２８】
(16)は、防水パン(13)の側壁(15)の外側へ重なるようにして設置される立上がり支持壁を示している。(17)は、それら側壁(15)及び立ち上がり支持壁(16)からなる壁側防水壁と建物本体の外壁面(19)との間の隙間(20)（図３）を、上方から覆う防水カバーである。次に、その壁際の防水構造の詳細を、図２及び図３に基づいて説明する。
【００２９】
立ち上がり支持壁(16)は、基本的に、垂直部(21)と、その垂直部(21)の下端の下部水平部(22)とからなる概略断面Ｌ字状であって、垂直部(21)の上端から前記下部水平部(22)とは反対方向に突出した上部支持片(23)を備えている。
【００３０】
下部水平部(22)は、その上面の幅方向の中央部に、長手方向に沿った凹部(22ａ)を形成するような折れ曲がった断面形状である。立ち上がり支持壁(16)は、この凹部(22ａ)部分へ上方から差し込んだビス等の固定具(24)により、前記下地板(12)の建物本体(１)側の端部上面へ、その端部に沿って固定される。このとき、上部支持片(23)が壁側となり、下部水平部(22)がその反対側となる。
【００３１】
防水パン(13)は、この立ち上がり支持壁(16)の取付け後に、その下部水平部(22)を覆うようにして設置される。なお、防水パン(13)の底部(14)の裏側に発泡樹脂などからなる断熱材(25)が設けられている。図１では防水パン(13)全体を一体ものとして示しているが、複数のユニットに分割して形成される場合もある。
【００３２】
上記立ち上がり支持壁(16)と防水パン(13)とを取り付けた状態では、防水パン(13)の側壁(15)の外側の面に、支持壁(16)の垂直部(21)が重なるように接している。また、防水パン(13)の側壁(15)の上端は、図のように内側（バルコニー床の中央側）へ向けて折曲げる等により、内方へ突出する水返し片(26)が設けられている。この水返し片(26)の上面と立ち上がり支持壁(16)の上部支持片(23)の上面との間には、上部支持片(23)側が高くなるような段差がある。
【００３３】
立ち上がり支持壁(16)の垂直部(21)には、更に、外壁面(19)との対面側の面の下端部近傍に、水平方向に沿った樋(29)を一体に形成している。この樋(29)は、その垂直部(21)の面から鈎状に突出した部分(28)を一体に形成することで、その垂直部(21)の面との間で上方に向かって解放された溝状となっている。
【００３４】
図３のように、建物本体(１)の外壁部には、前記垂直部(21)の上端よりも少し低いところで、外壁パネル(３)(４)間の横目地部(18)が位置している。前記樋(29)は、更にこの横目地部(18)の下方に位置している。
【００３５】
(31)は、外壁パネル(３)(４)の内側から前記の横目地部(18)を通って、外壁面(19)側に突出するように設けられた水平水切材である。この外壁の水平水切材(31)の外側の先端が下向きに折り曲げられ、この折曲げられた先端部(32)の下方に前記樋(29)が位置している。なお、(33)は、平水切材(31)の下面より下方に突出させたカバー片である。
【００３６】
上記において、立ち上がり支持壁(16)は、望ましくは、垂直部(21)、下部水平部(22)、上部支持片(23)及び樋(29)が一体となった状態で、アルミニウム等の押出成形等によって一体に形成されるが、これに限られるものでない。
【００３７】
なお、外壁パネル(３)(４)は、外壁面(19)を構成するサイディング材(35)と、そのサイディング材の裏面に取り付けた溝型の枠材(36)からなる。(37)は、梁(2)の上面又は下面に沿って配置された軸組フレームであり、図のようなリップ付き溝形鋼からなり、外壁パネル(３)(４)は、これらの軸組フレーム(37)を介して支持されるものであるが、その詳細は省略する。また、水平水切材(31)は、その内側の端部とカバー片(33)の先端を、梁(2)等へ固定した図３のジョイント金具(30)へ係合して取り付けられるが、その詳細についても省略する。
【００３８】
防水カバー(17)は、その上面が水平であるか又はバルコニー床方向に向かって僅かに下り傾斜した上面部(40)と、その上面部(40)のバルコニー床中央側の先端から下向きに突出した前面部(41)とを備えている。更に、上面部(40)の前面部(４1)側とは反対側の先端には、取付片(42)が上方へ突出して設けられている。その取付片(42)の上端は、上面部(40)と同じ方向へ折曲されて、その折曲片(39)の先端には、断面が垂直なフランジ片(43)が上方に突出して設けられている。
【００３９】
更に、上面部(40)の裏面には、前面部(41)寄りの位置において、伸縮性を備えた水密材(44)が予め接着して設けられている。この伸縮性水密材(44)は、望ましくは、独立又は連続発泡（圧縮されると気泡が潰れて空洞が繋がらないようになるもの）構造の樹脂発泡体からなるものであり、これを所定幅の帯状にして、上面部(40)の裏面へ長手方向に沿って接着している。
【００４０】
他方、前面部(41)の裏面には、その下端近傍位置においてひれ状パッキン(45)が水平方向に突出して設けられている。このひれ状パッキン(45)は、可撓性の大きいゴムその他の軟質材からなるもので、先端に向かって徐々に薄肉となって可撓性を増している。また、前面部(41)側の根元部には、フランジ状の取付部(46)が一体に形成され、前面部(41)の裏面に形成された取付溝(47)へ差し込んで、その前面部(41)のほぼ長手方向全長に亘って取り付けられている。
【００４１】
上記の構成からなる防水カバー(17)は、防水パン(13)の側壁部(15)及び立ち上がり支持壁(16)と外壁面(19)との間の隙間を塞ぐようにして、上方から設置される。そして、取付片(42)の外側から、この取付片(42)を貫通して差し込まれるビス(48)その他の固定具により、上部側の外壁パネル(３)下端の外面に固定される。
【００４２】
このとき、前面部(41)は、側壁部(15)の内側面に対面している。そして、その下端のひれ状パッキン(45)が、立ち上がり支持壁(16)の垂直部(21)へ当接している。その際、ひれ状パッキン(45)は、その先端が上方へ撓んだ状態で弾性的に当接している。
【００４３】
他方、上面部(40)は、図のように、水密材(44)よりも壁側の部分が、垂直部(21)上端の上部支持片(23)の上面へ載置されている。この状態で、水密材(44)は、側壁部(15)上端の水返し片(26)の上面へ強く押し付けられて、圧縮状態に保持され、これにより、側壁部(15)と上面部(40)との隙間を密封している。
【００４４】
なお、取付片(42)の上部側には、その上端の水平折曲片(39)、フランジ片(43)及び外壁面(19)とで形成された溝へ湿式シール材(49)を充填している。
【００４５】
上記の防水構造において、防水パン(13)からなるバルコニー床内に大雨や清掃時の水が溜まって壁側へ溢れた場合でも、防水カバー(17)があることにより、また、その防水カバー(17)と外壁面(19)との間がシール材(49)で密封されていることにより、その防水カバー(17)を乗り越えて軒裏側へ水が漏れ出ることはない。
【００４６】
更に、防水カバー(17)の前面部(41)と側壁部(15)の間から上方へ上がろうとする水は、先ず第１にひれ状パッキン(45)によって阻止される。仮に、大量の水が同時に押し寄せたような場合に、一部がこのひれ状パッキン(45)の先端をすり抜けて、その上部側の隙間(50)内へ入った場合でも、まず、水返し片(26)によって下方へ落下させられる。そして、なおも水返し片(26)の上部側へ回り込んだとしても、水密材(44)が隙間を密封しているので、その裏側へ回り込むことはほぼ完全に阻止される。
【００４７】
上記は、バルコニー床の前記外壁面(19)側の水仕舞いであり、次に、壁に面していない手摺り側の防水構造を説明する。
【００４８】
図４及び図５で示すように、手摺り側においては、防水パン(13)の側壁部(15)の外表面が、床フレーム(６)の横フレーム(８)外側面と略同一面となるような状態で、上方へ立ち上がっている。横フレーム(８)に固定された手摺り支柱(５)の中間部には、前記側壁(15)上端に対応する位置において、側面から見て当Ｌ字形の受プレート(55)が、その水平部(56)の切欠部へ手摺り支柱(５)を嵌合するようにして取り付けられている。この受プレート(55)は、図１で示すように、手摺り支柱(５)に予め取り付けられるものである。
【００４９】
水平部(56)の内側の端部より下向きに突出した垂直部(57)の表面に、前記側壁部(15)の外側面が重ねられて、防水パン(13)の内側よりこの垂直部(57)にネジ込まれた、望ましくはパッキン付きのビス(58)によって、側壁部(15)がその垂直部(57)へ止め付けられている。このとき、防水パン(13)上端の水返し片(26)の上面に対し、水平部(56)の上面が僅かに高くなっている。
【００５０】
また、手摺り支柱(５)を挟んだ側壁部(15)とは反対の側には、化粧カバー(60)が取り付けられている。化粧カバー(60)は、床フレーム(６)、側壁部(15)、手摺り支柱(５)の根元部の外側から、横フレーム(８)の下面までを覆っている。化粧カバー(60)は、手摺り支柱(５)の外側面に固定したブラケット(59)のＬ型受け片(59ａ)へ、その裏面の係合溝(61)を上方から係合させて支持されている。
【００５１】
(65)は、壁側に取り付けられる前記の防水カバー(17)に対して、壁に面していない手摺り側に取り付けられる別の防水カバーである。この手摺り側防水カバー(65)は、上面部(62)と、その上面部の一端より下向きに突出した前面部(63)とを備えている。また、前面部(63)とは反対側の端部には、同じく下向きに突出して外部カバー片(64)が一体に形成されている。
【００５２】
上記のように形成された手摺り側防水カバー(65)は、前面部(63)が側壁部(15)の内面に対向し、且つ、外部カバー片(64)が化粧カバー(60)上端の外面に対向するようにして、上方から設置される。これにより、側壁部(15)と化粧カバー(60)との隙間が、この防水カバー(65)によって上方から覆われる。
【００５３】
その際、上面部(62)には、手摺り支柱(５)に対応して、その手摺り支柱(５)が貫通する開口(67)が形成され、手摺り支柱(５)は、この開口(67)を通って上方に立ち上がっている。また、防水カバー(65)は、その上面部(62)を前記の水平部(56)の上面へねじ込みボルト(66)のような固定部材で固定される。
【００５４】
そして、上面部(62)の裏面には、前記側壁部(15)上端の水返し片(26)に対応して、前記と同じ水密材(44)が予め接着して設けられ、前記と同様に、水返し片(26)との間で圧縮されて水密を保っている。また、水密材(44)は、水返し片(26)の先端と前面部(63)との隙間から部分的に圧縮されない部分がはみ出している。
【００５５】
更に、前面部(63)の下端には、同様に、その根元部(46)を前面部(41)裏面の取付溝(47)へ差し込んで取り付けられたひれ状パッキン(45)が突出している。そして、このひれ状パッキン(45)の先端が、上方に撓んだ状態で側壁部(15)の内面へ当接して、前記壁側と同様の二重の防水が施されている。
【００５６】
これにより、防水パン(13)内に溜まった水が、側壁部(15)とその外側の化粧カバー(60)との間の隙間へ漏れ出て、これが天井裏に回り込んで軒下に落下したり、或いは天井内の金属材に錆を発生させるといった不都合を解消できる。
【００５７】
上記のような壁側と手摺り側の防水構造において、本発明は、それら壁側と手摺り側との接続部である図１の左端部分のコーナー部において実施されており、図６以下にその構造を示している。
【００５８】
図６のように、先ず、手摺り側コーナーにおいては、手摺り側防水カバー(65)の端部が、壁側防水カバー(17)よりも外壁面(19)側へ突出して、その外壁面(19)に間隔を置いて向かい合い、壁側防水カバー(17)の端面は、その一部が手摺り側の防水カバー(65)の前面部(63)へ向かい合っている。
【００５９】
(71)が、上記壁側防水カバー(17)と手摺り側防水カバー(65)の端部に跨って取り付けられるコーナーキャップである。このコーナーキャップ(71)は、手摺り側防水カバー(65)の上面部(62)を覆う被覆板(72)と、壁側防水カバー(17)の上面部(40)を覆う被覆板(73)とを備えている。それら被覆板(72)(73)の裏面には、水密材(68)(69)が張り付けられている。これらの水密材(68)(69)は、互いに一体に連続していても良いが、各上面部(40)(62)の長手方向中央側に向かう端部からの水の侵入を防止する観点からは、この部分にのみ設けても良い。
【００６０】
上記の被覆板(72)(73)は、図のように、壁側防水カバー(17)の上面部(40)の延長方向に連続して一体となっており、手摺り側の被覆板(72)には、壁側の被覆板(73)とは反対側の端部より下向きに突出して、外側下向き片(74)が一体に設けられている。他方、壁側の被覆板(73)には、外壁面(19)とは反対側の端部より下向きに突出して、内側下向き片(75)が一体に設けられている。この内側下向き片(75)は、手摺り側被覆板(72)が壁側被覆板(73)より突出していることに対応して、その手摺り側被覆板(72)側の端部に沿ってＬ字形に屈曲して、その端部に連結している。
【００６１】
手摺り側被覆板(72)の外壁面(19)側の端部には、立ち上がり部(76)が立ち上がっており、その立ち上がり部(76)の上端には、外壁面(19)に向けて突出する水平な折り返し片(77)が、その上端に沿って設けられている。更に、立ち上がり部(76)の外壁面(19)側の面には、その上下方向の中間部において、帯状の突出片(78)が一体に形成されている。この突出片(78)は、平面から見て帯状であって、外壁面(19)に沿って水平に延びている。
【００６２】
他方、壁側被覆板(73)には、壁側の端部において、その端部より立ち上がった垂直部(81)と、その垂直部(81)から壁とは反対側に突出する水平部(82)を一体に形成している。そして、これらの垂直部(81)と水平部(82)と被覆板(73)の端部とで、この発明のコの字型の嵌合部(83)を構成している。この嵌合部(83)の水平部(82)は、前記手摺り側立ち上がり部(76)の裏面の突出片(78)と連続していても良い。
【００６３】
上記において、手摺り側被覆板(72)の立ち上がり部(76)は、壁側被覆板(73)の上面の中間部まで突出(80)し、前記コの字型の嵌合部(83)の手摺り側の開口部が、この立ち上がり部76)の端部から前記垂直部(81)へかけて一体形成した覆板(84)で塞がれている。コの字型嵌合部(83)には、垂直部(81)の裏面と水平部(82)の上面にかけて水密材(85)が張り付けられている。この水密材(85)は、壁側被覆板(73)の水密材(75)に連続している。
【００６４】
上記の構造からなるコーナーキャップ(71)は、上記コの字型嵌合部(83)を、壁側防水カバー(17)における前記折曲片(39)の下側の凹所(86)へ外側から嵌合させつつ、壁側被覆板(73)で壁側防水カバー(17)の上面部(40)を覆い、同じく下向き片(75)が前面板(41)の前面を覆うようにして取り付けられる。それとともに、その壁側の内側下向き片(75)と手摺り側の外側下向き片(74)との間の凹所(88)を、手摺り側防水カバー(65)へ嵌合させるようにして、手摺り側の被覆板(72)を同じ側の防水カバー(65)の上面部(62)上へ設置し、このようにしてコーナーキャップ(71)が、壁側の防水カバー(17)と手摺り側の防水カバー(65)とに跨って取り付けられる。
【００６５】
上記の取付け状態において、手摺り側の被覆板(72)から立ち上がった立ち上がり部(76)の裏面には、図のように、その立ち上がり部(76)の上端と前記突出片(78)と外壁面(19)とで構成されるシール材充填溝(87)が形成されている。そして、このシール材充填溝(87)が、壁側防水カバー(17)側のシール材充填溝(51)と連続し、それらの溝(87)(51)にシール材(49)が一体的に連続して充填されている。なお、折り返し片(77)は、その先端が壁側防水カバー(17)のフランジ片(43)の内面と同じ面となるようになっている。
【００６６】
次ぎに、化粧カバー(60)は、その壁側の端部において、図９のように内側へ張り出したフランジ状の縁片(90)が、折曲その他の手段によって一体に形成されている。そして、この縁片(90)の外面には、化粧カバー本体側の半部を残した先端縁に沿って、水密材(91)が帯状に張り付けられている。そして、この水密材(91)が外壁面(19)に当接することで、側面外方向からの雨水などの水の侵入を防ぐようにしている。
【００６７】
上記のような化粧カバー(60)の取付状態において、水密材(91)が張られていない部分の縁片(90)と外壁面(19)との間には、その水密材(91)よりも外側に、その水密材(91)を奥壁とするシール材充填溝(92)が形成される。そして、この充填溝(92)へ、前記コーナーキャップ(71)の立ち上がり壁(76)裏面のシール材充填溝(87)に連続するようにして、シール材(49)を充填する。これにより、上部から側面にかけて切れ目のない防水ラインが構成される。図８の破線で入れた斜線部分がこのシール材(49)による防水ラインを示している。
【００６８】
上記において、コーナーキャップ(71)は、望ましくはアルミニウムのダイキャスト製品で構成されるが、必ずしもそれに限定されるものではない。
【００６９】
また、図１０で示すように、手摺り支柱(５)(５)…間には、手摺りユニット(94)(94)…が取り付けられ、その上に笠木(95)が設置される。
【産業上の利用可能性】
【００７０】
この発明は、上記実施形態で示したバルコニー床に最適であるが、必ずしもこれに限られるものではなく、ベランダその他建物本体の外側に張り出した他の外部床に適用可能である。
【図面の簡単な説明】
【００７１】
【図１】この発明を付帯型バルコニーに実施した場合のバルコニーの概略構造を示す要部の分解斜視図である。
【図２】同じく壁際部の断面の斜視図である。
【図３】同じく壁際の縦断面図である。
【図４】図３の要部拡大図である。
【図５】手摺り側の防水カバーの取付状況を示す要部の斜視図である。
【図６】同じく手摺り側の手摺り支柱根元部の構造を示す縦断面図である。
【図７】手摺り側と壁側とのコーナー部のコーナーキャップ取付前の状態を示す要部の斜視図である。
【図８】同じくコーナーキャップ取付後の状態を示す要部の斜視図である。
【図９】同じく手摺り側の防水カバー部分で切断して手摺り側から外壁面方向を見た断面図である。
【図１０】化粧カバーの外壁面側の端部を示す斜視図である。
【符号の説明】
【００７２】
(17)  壁側防水カバー
(19)  外壁面
(40)  上面部
(41)  前面部
(49)  シール材
(51)  シール材充填溝
(60)  化粧カバー
(62)  上面部
(63)  前面部
(65)  手摺り側防水カバー
(71)  コーナーキャップ
(72)(73)  被覆板
(74)(75)  水密材
(76)  立ち上がり部
(78)  突出片
(83)  コの字型の嵌合部
(84)  覆板
(85)  水密材
(87)  シール材充填溝
(90)  縁片
(91)  水密材
(92)  シール材充填溝
【図１】
2005213951.tif 000003
【図２】
2005213951.tif 000004
【図３】
2005213951.tif 000005
【図４】
2005213951.tif 000006
【図５】
2005213951.tif 000007
【図６】
2005213951.tif 000008
【図７】
2005213951.tif 000009
【図８】
2005213951.tif 000010
【図９】
2005213951.tif 000011
【図１０】
2005213951.tif 000012